(57)【要約】【課題】撮影時刻を精度高く設定することができる撮像装置及び撮影時刻設定方法を提供する。【解決手段】秒までの単位で時刻を計時する撮像装置で秒未満の連写間隔ｔで連写された複数のコマの画像について、連写中に時刻の繰り上がりが検出された場合には、繰り上がり時刻からｔ／２経過した時刻を、繰り上がり直後に撮影されたコマの撮影時刻として設定し、且つ繰り上がり時刻からｔ／２前の時刻を繰り上がり直前に撮影されたコマの撮影時刻として設定する。また、その繰り上がりが連写中最初の繰り上がりでない場合には、繰り上がり時刻からｔ／２経過した時刻を、繰り上がり直後に撮影されたコマの撮影時刻として設定する。更にまた、連写中に時刻の繰り上がりが検出されない場合には、直前に撮影されたコマの撮影時刻からｔ経過した時刻を各コマの撮影時刻として設定する。【選択図】　図１
2004120302.tif 000002
【特許請求の範囲】
【請求項１】
秒までの単位で時刻を計時する計時手段と、
連写時に秒未満の連写間隔で複数のコマの画像を撮影する撮影手段と、
前記計時手段における秒単位の時刻の繰り上がりを検出する検出手段と、
前記検出手段により連写中に時刻の繰り上がりが検出された場合には、繰り上がり時刻から連写間隔の１／２の時間経過した時刻を、繰り上がり直後に撮影されたコマの撮影時刻として設定し、且つ繰り上がり時刻から連写間隔の１／２の時間前の時刻を繰り上がり直前に撮影されたコマの撮影時刻として設定する設定手段と、
を含む撮像装置。
【請求項２】
前記設定手段は、前記検出手段により検出された繰り上がりが、連写中の最初の繰り上がりでない場合には、繰り上がり直後に撮影されたコマの撮影時刻のみを設定する請求項１記載の撮像装置。
【請求項３】
前記設定手段は、前記検出手段により連写中に時刻の繰り上がりが検出されない場合には、直前に撮影されたコマの撮影時刻から前記連写間隔経過した時刻を各コマの撮影時刻として設定する請求項１又は請求項２記載の撮像装置。
【請求項４】
連写時に秒未満の連写間隔で撮影され、秒までの単位で計測された撮影時刻が設定された複数のコマの画像について、
連写中に時刻の繰り上がりがあった場合には、繰り上がり時刻から連写間隔の１／２の時間経過した時刻を、繰り上がり直後に撮影されたコマの撮影時刻として設定し直し、且つ繰り上がり時刻から連写間隔の１／２の時間前の時刻を繰り上がり直前に撮影されたコマの撮影時刻として設定し直す
撮影時刻設定方法。
【請求項５】
連写中の撮影時刻の繰り上がりが連写中の最初の繰り上がりでない場合には、繰り上がり直後に撮影されたコマの撮影時刻のみを設定し直す請求項４記載の撮影時刻設定方法。
【請求項６】
連写中に時刻の繰り上がりがない場合には、直前に撮影されたコマの撮影時刻から前記連写間隔経過した時刻を各コマの撮影時刻として設定し直す請求項４又は請求項５記載の撮影時刻設定方法。
【発明の詳細な説明】
【０００１】
【発明の属する技術分野】
本発明は、連写撮影により得られる連続画像データの各コマの撮影時刻を決定する撮像装置及び撮影時刻設定方法に関するものである。
【０００２】
【従来の技術】
現在、静止画像を１コマずつ撮影する単写撮影のみならず、静止画像を連続的に撮影する連写撮影を行うことができるデジタルカメラ等の撮像装置（以下、デジタルカメラ）が広く流通している。
【０００３】
連写撮影により得られた連続画像データは、各コマ毎に撮影日時等の撮影情報が付与されて、各々スマートメディアやＳＤメモリカード等の取り外し可能な記録メディアに記録される。
【０００４】
また、撮影時刻を正しく記録するための撮像装置としては、季節時間が実施されている場合でも、撮影時刻を季節時間に修正して記録する撮像装置が知られている（例えば、特許文献１参照。）。
【０００５】
【特許文献１】
特開平１１−８４５０６号公報
【０００６】
【発明が解決しようとする課題】
しかしながら、従来のデジタルカメラでは、撮影時刻を秒単位でしか記録できないため、１秒間に数コマの静止画像が撮影される連写撮影を行うと、同一の撮影時刻のコマが記録メディアに記録されてしまう、という問題がある。
【０００７】
本発明は上記問題点を解決するためになされたもので、連写撮影により得られた各コマの秒単位の撮影時刻に秒未満の時刻を付与することにより撮影時刻を精度高く設定することができる撮像装置及び撮影時刻設定方法を提供することを目的とする。
【０００８】
【課題を解決するための手段】
上記目的を達成するために、請求項１記載の発明の撮像装置は、秒までの単位で時刻を計時する計時手段と、連写時に秒未満の連写間隔で複数のコマの画像を撮影する撮影手段と、前記計時手段における秒単位の時刻の繰り上がりを検出する検出手段と、前記検出手段により連写中に時刻の繰り上がりが検出された場合には、繰り上がり時刻から連写間隔の１／２の時間経過した時刻を、繰り上がり直後に撮影されたコマの撮影時刻として設定し、且つ繰り上がり時刻から連写間隔の１／２の時間前の時刻を繰り上がり直前に撮影されたコマの撮影時刻として設定する設定手段と、を含んで構成されている。
【０００９】
請求項４記載の発明の撮影時刻設定方法は、連写時に秒未満の連写間隔で撮影され、秒までの単位で計測された撮影時刻が設定された複数のコマの画像について、連写中に時刻の繰り上がりがあった場合には、繰り上がり時刻から連写間隔の１／２の時間経過した時刻を、繰り上がり直後に撮影されたコマの撮影時刻として設定し直し、且つ繰り上がり時刻から連写間隔の１／２の時間前の時刻を繰り上がり直前に撮影されたコマの撮影時刻として設定し直すようにしたものである。
【００１０】
請求項１又は請求項４に記載の発明は、連写中に秒単位の時刻の繰り上がりがあった場合には、繰り上がり直後に撮影されたコマの撮影時刻として繰り上がり時刻から連写間隔の１／２の時間経過した時刻が設定される。
【００１１】
連写時に得られる撮影時刻は秒単位であるため、繰り上がり時の秒単位の撮影時刻を基準として連写毎に連写間隔に相当する時間（ｔ）を加算したときの時刻は、実際の正しい時刻に対して０〜ｔの誤差が生じる。
【００１２】
そこで、本発明では、秒の繰り上がり時刻に加算する時間を、誤差の平均値「（０＋ｔ）／２」であるｔ／２とすることにより、誤差が平均化するようにしている。
【００１３】
請求項２記載の発明は、請求項１記載の発明において、前記検出手段により検出された繰り上がりが、連写中の最初の繰り上がりでない場合には、繰り上がり直後に撮影されたコマの撮影時刻のみを設定するようにしたものである。
【００１４】
請求項５記載の発明は、請求項４記載の発明において、連写中の撮影時刻の繰り上がりが連写中の最初の繰り上がりでない場合には、繰り上がり直後に撮影されたコマの撮影時刻のみを設定し直すようにしたものである。
【００１５】
請求項２又は請求項５記載の発明は、連写中、秒単位の時刻の繰り上がりがあり、且つその繰り上がりが連写中の最初の繰り上がりでない場合には、繰り上がり直前に撮影されたコマについては、既に前回の繰り上がり時に設定済みとなるため、繰り上がり直後に撮影されたコマの撮影時刻のみを設定するようにしたものである。
【００１６】
請求項３記載の発明は、請求項１又は請求項２記載の発明において、前記検出手段により連写中に時刻の繰り上がりが検出されない場合には、直前に撮影されたコマの撮影時刻から前記連写間隔経過した時刻を各コマの撮影時刻として設定するようにしたものである。
【００１７】
請求項６記載の発明は、請求項４又は請求項５記載の発明において、連写中に時刻の繰り上がりがない場合には、直前に撮影されたコマの撮影時刻から前記連写間隔経過した時刻を各コマの撮影時刻として設定し直すようにしたものである。
【００１８】
請求項３又は請求項６記載の発明は、連写中、秒単位の時刻の繰り上がりがない場合のコマについては、既に設定済みである直前に撮影されたコマの撮影時刻に連写間隔を加算しているため、各コマの撮影時刻が自動的に設定される。
【００１９】
このように請求項１乃至請求項６の何れかに記載の発明によれば、連写時に秒以上の単位で得られた撮影時刻が付与された各コマに対して、秒未満の撮影時刻を設定することができる。これにより、従来に比して精度の高い撮影時刻を得ることができる。よって、例えば、連写コマの加工により、各コマのファイル名が変更されても、撮影時刻により一連のコマのシーケンス情報が保持され得る。
【００２０】
【発明の実施の形態】
以下、図面を参照して、本発明の実施の形態を詳細に説明する。
【００２１】
なお、以下では、本発明をデジタルカメラに適用した場合について説明する。
【００２２】
図１に示されるように、第１の実施の形態のデジタルカメラ１０には、光学レンズ１２と、光学レンズ１２を通過した被写体像を示す入射光に基づき、被写体を撮像して被写体像を示すＲ、Ｇ、Ｂ３色のカラーアナログ画像信号を出力する撮像素子としてのＣＣＤ（Ｃｈａｒｇｅ　Ｃｏｕｐｌｅｄ　Ｄｅｖｉｃｅ）１６とが設けられている。
【００２３】
ＣＣＤ１６には、ＣＣＤ１６により入力された画像信号に対して所定のアナログ信号処理を施すアナログ信号処理部１８と、アナログ信号処理部１８から入力されたアナログ信号をそれぞれデジタル信号に変換するアナログ／デジタル変換器（以下、「Ａ／Ｄ変換器」という。）２０とが順に接続されている。
【００２４】
また、光学レンズ１２を駆動するための駆動部２２と、ＣＣＤ１６に対する撮影時のタイミング制御を行うＣＣＤ制御部２４と、ストロボ５０の発光の制御を行うストロボ制御部４８と、シャッタスイッチ５２と、単写撮影と連写撮影とを切り替えるための単写／連写切替スイッチ５８が設けられている。
【００２５】
Ａ／Ｄ変換器２０から出力されたデジタル信号（Ｒ、Ｇ、Ｂ信号のデジタル値）は、制御回路４０（詳細は後述）に入力されると共に、デジタル信号処理回路２６に入力される。デジタル信号処理回路２６は、図示されない合成処理回路と、ホワイトバランス調整処理回路と、ガンマ処理回路とから構成され、各種デジタル信号処理を行う。
【００２６】
デジタル信号処理回路２６から出力されたＲＧＢ信号は記録メディアインタフェース（Ｉ／Ｆ）５４を介してスマートメディア３０に記録されると共に、液晶ディスプレイ２８に表示される。
【００２７】
更に、デジタルカメラ１０には、撮影時刻等を得るために秒単位で時刻を計時する内部時計５６と、連写撮影のための秒未満の短いクロックパルスを発生する連写用クロック発生器３２とが設けられている。
【００２８】
制御回路４０は、ＣＰＵ（中央演算処理装置）４２と、ＲＯＭ４４と、ＲＡＭ４６とを備えたマイクロコンピュータで構成され、デジタルカメラ１０全体の動作を制御する。ＲＯＭ４４には、連写により得られた連続画像の各コマの撮影時刻を秒未満まで設定するための処理を実行する処理ルーチンのプログラムが記憶されている。
【００２９】
以下、図２のフローチャート及び図３のタイムチャートを用いて、本実施の形態の処理ルーチンの詳細を説明する。
【００３０】
ステップ１００で、デジタルカメラ１０において、連写／単写切替スイッチ５８が連写撮影モードに切り替えられた状態で、シャッタスイッチ５２がオンされたか否か、すなわち連写が開始されたか否かが判断される。なお、シャッタスイッチ５２がオンされた状態で連写が継続し、シャッタスイッチ５２がオフされることにより連写が終了する。
【００３１】
連写開始後、ステップ１０２にてＲＯＭ４４に記憶されている連写間隔の時間ｔが取得される。ステップ１０４で、１コマ目の画像が撮影されると、ステップ１０６で、内部時計５６により計時された秒単位の撮影時刻が取得される。ステップ１０８にて、この秒単位の撮影時刻の秒未満を０とした時刻が１コマ目の撮影時刻として仮設定される。
【００３２】
図３（Ａ）に示されるように、内部時計５６により現在時刻は秒単位で計時される。連写間隔ｔは、秒未満の間隔であるため、図３（Ｂ）に示されるように実際の連写開始時刻はＸＸ時ＹＹ分ＺＺ秒からＺＺ＋１秒の間の▲１▼の時刻であっても、内部時計５６により計時された秒単位の撮影時刻では秒未満の時刻（例えば、１／１００秒の時刻）は判断できない。従って、図３（Ｃ）に示されるように、１コマ目の撮影時刻を「ＸＸ時ＹＹ分ＺＺ秒０」に仮設定しておく。
【００３３】
ステップ１１０において、連写用クロック発生器３２からのクロックのカウント値により連写間隔ｔが経過したと判断されると、ステップ１１２にて、次のコマの画像が撮影される。ステップ１１４では、撮影されたコマ（現コマ）について、内部時計５６により計時された秒単位の撮影時刻が取得される。
【００３４】
ステップ１１６にて、この秒単位の撮影時刻が、直前に撮影されたコマの秒単位の撮影時刻と比較され、現コマの秒単位の撮影時刻が繰り上がっていないと判断された場合には、ステップ１１８にて、現コマ撮影時刻に、直前コマ撮影時刻にｔが加算された時刻が設定される。ステップ１２０で、設定された撮影時刻が、現コマのタグに撮影時刻として記録される。
【００３５】
すなわち、図３（Ｂ）に示されるように現コマは実際には▲１▼の時刻から連写間隔ｔ経過後の▲２▼の時刻に撮影されるが、▲１▼の秒未満の撮影時刻が不明なため、図３（Ｃ）のように、ステップ１０８で仮設定された時刻である「ＸＸ時ＹＹ分ＺＺ秒０」に連写間隔ｔが加算された時刻「ＸＸ時ＹＹ分ＺＺ秒ｔ」が、現コマの撮影時刻として仮設定され記録される。
【００３６】
ステップ１２２で、シャッタスイッチ５２がオフされていないと判断された場合、すなわち、連写が終了していないと判断された場合には、ステップ１１０以降の処理が繰り返される。
【００３７】
このように直前の撮影時刻に連写間隔ｔが加算され、図３（Ｃ）に示されるように▲１▼から▲４▼までの仮撮影時刻が得られる。次に、図３（Ｂ）に示される▲５▼の時刻で撮影された場合には、そのコマの秒単位の撮影時刻はＺＺ秒から１秒繰り上がることとなる。すなわち、図２のステップ１１６では現コマの秒単位の撮影時刻が繰り上がったと判断される。繰り上がったと判断された場合には、次のステップ１２４にて、現在の秒単位の撮影時刻にｔ／２が加算された時刻が現コマ撮影時刻として設定される。ステップ１２６で、設定された撮影時刻は、現コマのタグに撮影時刻として記録される。すなわち、図３（Ｃ）に示されるように、現コマの撮影時刻は、「ＸＸ時ＹＹ分ＺＺ＋１秒ｔ／２」として記録される。
【００３８】
なお、繰り上がったと判断されたコマの撮影時刻については、繰り上がり時の秒単位の撮影時刻を基準として、連写間隔ｔを加算すると、実際の正しい時刻に対して０〜ｔの誤差が生じる。例えば、実際の撮影時刻が秒の繰り上がり時の「ＸＸ時ＹＹ分ＺＺ＋１秒ｔ」である場合には、ｔを加算することにより、実際の撮影時刻ちょうど（すなわち、誤差は０）となるが、実際の撮影時刻が秒の繰り上がり時の時刻「ＸＸ時ＹＹ分ＺＺ＋１秒」である場合には、ｔを加算することにより、ｔだけ誤差が生じる。従って、誤差の平均値「（０＋ｔ）／２」であるｔ／２を加算するようにし、誤差が平均化するようにしている。
【００３９】
次に、ステップ１２８で、撮影時刻を仮設定したコマが存在するか否かが判断される。仮設定したコマが存在すれば、ステップ１３０で、仮設定された撮影時刻が補正される。図３（Ｃ）では▲１▼から▲４▼の撮影時刻が補正される。
【００４０】
具体的には、現コマの繰り上がり時刻「ＸＸ時ＹＹ分ＺＺ秒ＺＺ＋１秒」からｔ／２だけ減算された時刻「ＸＸ時ＹＹ分ＺＺ秒１−ｔ／２」が繰り上がり直前に撮影されたコマ▲４▼の撮影時刻とされ、記録される。なお、このように、繰り上がり直前に撮影されたコマの撮影時刻についても上記繰り上がり直後に撮影されたコマの撮影時刻を設定する際に行った処理と同様に、ｔ／２を減算することにより撮影時刻の誤差を平均化している。
【００４１】
次に、▲４▼の撮影時刻からｔ減算した時刻が▲３▼の撮影時刻とされる。同様に▲１▼、▲２▼についても、各コマの直後に撮影されたコマの撮影時刻からｔ減算した時刻が撮影時刻とされる。図３（Ｄ）に示されるように、補正後の撮影時刻は、図３（Ｂ）の実際の連写状態に示される撮影時刻に近似した精度の高い撮影時刻となる。
【００４２】
更に、ステップ１２２で連写が終了していないと判断された場合には、ステップ１１０以降の処理が繰り返される。図３（Ｅ）に示されるように、▲５▼以降に撮影され、秒単位の撮影時刻について秒の繰り上がりがないコマ（▲６▼から▲９▼）については、ステップ１１８からステップ１２０の処理がなされ、直前のコマの撮影時刻にｔが加算された時刻が、そのコマの撮影時刻に設定され、記録される。また、秒の繰り上がり時における処理については、仮設定されていた▲１▼から▲４▼の撮影時刻は既に補正済みであるため、ステップ１２８からステップ１３０までの処理は行われず、ステップ１２４からステップ１２６までの処理のみが行われる。
【００４３】
このように処理が実行されることにより、各コマの撮影時刻は図３（Ｅ）に示されるように設定され、記録される。
【００４４】
ステップ１２２で、シャッタスイッチ５２がオフされたと判断された場合、すなわち連写が終了したと判断された場合には、撮影時刻記録処理が終了する。
【００４５】
上述した第１の実施の形態では、デジタルカメラ１０での連写中に撮影時刻を設定する例について説明したが、以下に示す第２の実施の形態のように、デジタルカメラ１０での連写終了後に、各コマの撮影時刻を設定し直すようにしてもよい。以下、図４のフローチャートを用いて第２の実施の形態を詳細に説明する。
【００４６】
まず、スマートメディア３０に記録された連写による連続画像を構成する各コマのデータが読込まれる。各コマのタグには内部時計５６により付与された各コマ毎の秒単位の撮影時刻が記録されており、各コマのデータを読み出すことにより秒単位の撮影時刻が得られる。なお、各コマのデータの順番は撮影された状態のままであるとする。
【００４７】
ステップ２００で、全てのコマの秒単位の撮影時刻が参照され、連写中に撮影時刻の秒の繰り上がりが存在するか否かが判断される。連写中に秒の繰り上がりが全く無かった場合には、ステップ２１２で、最初のコマの秒単位の撮影時刻の秒未満を０とした時刻を、最初のコマの撮影時刻として設定する。更に次コマ以降は、各コマの直前に撮影されたコマの撮影時刻に連写間隔ｔが加算された時刻が各々のコマの撮影時刻として設定され、各コマのタグに記録された撮影時刻が補正される。
【００４８】
また、ステップ２００で、連写中に撮影時刻の秒の繰り上がりが存在していた場合には、最初の繰り上がりとそれ以降の繰り上がりとに分けて処理が行われる。ステップ２０２で、最初の繰り上がりであると判断された場合には、ステップ２０４で、繰り上がり時の秒単位の撮影時刻からｔ／２だけ減算された時刻が繰り上がり直前のコマの撮影時刻として設定される。更にステップ２０６で、繰り上がり直前のコマより前に撮影されたコマについては、各コマの直後に撮影されたコマの撮影時刻から連写間隔ｔが減算された時刻が各コマの撮影時刻として設定される。その後、ステップ２０８で、繰り上がり時の秒単位の撮影時刻にｔ／２だけ加算された時刻が繰り上がり直後のコマの撮影時刻として設定される。更にステップ２１０で、繰り上がり直後のコマ以降に撮影されたコマについては、直前に撮影されたコマの撮影時刻にｔが加算された時刻が各コマの撮影時刻として設定される。
【００４９】
また、ステップ２０２で、最初の繰り上がりでないと判断された場合には、上述したステップ２０８及びステップ２１０の処理のみが行われる。なお、ステップ２０８及びステップ２１０の処理は、最初の繰り上がり以外の全ての繰り上がりについて行われる。
【００５０】
以上の処理により、全てのコマについて秒未満の精度を有する撮影時刻が設定される。
【００５１】
なお、上述した第２の実施の形態の処理は、連写終了後に行われるため、連写撮影による連続画像データを記録したファイルがあれば、デジタルカメラ１０のみならず他のコンピュータシステムで実行されてもよい。この場合には、読込まれる連続画像のデータの中に連写間隔ｔを含めておき、撮影時刻と同様に読み出せるようにしておいてもよいし、別途連写間隔ｔを取得するようにしてもよい。
【００５２】
また、上述した各実施の形態では、デジタルカメラ１０の連写間隔ｔを一定として説明したが、デジタルカメラ１０の連写間隔を可変とし、連写撮影前に連写間隔を設定できるようにしてもよい。この場合であっても、連写間隔を連写撮影毎に取得すれば、上記実施の形態と同様に秒未満の精度を有する撮影時刻を設定することが可能である。
【００５３】
また、本発明は上記デジタルカメラに限られるものではなく、様々な撮像装置や電子機器に適用可能である。
【００５４】
【発明の効果】
以上説明した如く本発明によれば、連写撮影により得られた各コマの秒単位の撮影時刻に秒未満の時刻を付与することにより撮影時刻を精度高く設定することができるという優れた効果を奏する。
【図面の簡単な説明】
【図１】第１の実施の形態のデジタルカメラの構成を示したブロック図である。
【図２】デジタルカメラの制御回路における撮影時刻設定処理の流れを示したフローチャートである。
【図３】実際の連写状態及び撮影時刻設定状態のタイミングチャートである。
【図４】第２の実施の形態の撮影事項設定処理の流れを示したフローチャートである。
【符号の説明】
１０　デジタルカメラ（撮像装置）
１６　ＣＣＤ（撮影手段）
３２　連写用クロック発生器（撮影手段）
４０　制御回路（検出手段、設定手段）
４２　ＣＰＵ
４４　ＲＯＭ
４６　ＲＡＭ
５６　内部時計（計時手段）
【図１】
2004120302.tif 000003
【図２】
2004120302.tif 000004
【図３】
2004120302.tif 000005
【図４】
2004120302.tif 000006